(57)【要約】【課題】本発明は、物品と観察者との相対位置が変化しなくても模様を変化させられる装飾パネル及び楽器を提供することを課題とする。【解決手段】本発明の装飾パネルは、規則正しいパターンを有し、かつ少なくとも部分的に光透過性を有する表側層と、前記表側層の裏側に相対的に移動可能に配設され、前記表側層とは周期が異なるパターンを有する裏側層とを備え、前記表側層のパターンと裏側層のパターンによりモアレが発生するよう構成されている。前記表側層が、織布と、この織布に含浸した樹脂組成物とを有するとよい。前記表側層及び裏側層のうち少なくとも一方の対向面に突起が形成されているとよい。前記裏側層の裏側に配置され、表側から入射する光を反射する反射層をさらに備え、前記裏側層が光透過性を有するとよい。本発明の楽器は、前記装飾パネルを備える。【選択図】図１
2015226983.tif 000002
【特許請求の範囲】
【請求項１】
規則正しいパターンを有し、かつ少なくとも部分的に光透過性を有する表側層と、
前記表側層の裏側に相対的に移動可能に配設され、前記表側層とは周期が異なるパターンを有する裏側層と
を備え、
前記表側層のパターンと裏側層のパターンによりモアレが発生するよう構成されている装飾パネル。
【請求項２】
前記表側層が、織布と、この織布に含浸した樹脂組成物とを有する請求項１に記載の装飾パネル。
【請求項３】
前記表側層及び裏側層のうち少なくとも一方の対向面に突起が形成されている請求項１又は請求項２に記載の装飾パネル。
【請求項４】
前記裏側層の裏側に配置され、表側から入射する光を反射する反射層をさらに備え、前記裏側層が光透過性を有する請求項１、請求項２又は請求項３に記載の装飾パネル。
【請求項５】
請求項１から請求項４のいずれか１項に記載の装飾パネルを備える楽器。
【発明の詳細な説明】
【技術分野】
【０００１】
本発明は、装飾パネル及び楽器に関する。
【背景技術】
【０００２】
規則的なパターンを有する２つの層を重ねて配置することにより、光の干渉によりモアレ模様を浮かび上がらせ、三次元的な印象を与え得る装飾が提案されている（特開２００６−０４３９２０号公報参照）。
【０００３】
前記公報に記載の装飾は、見る位置によってモアレ模様が変化するが、逆に言えば、観察者と物品との相対位置が変化しなければ模様が変化しない。
【０００４】
また、表面に装飾を施す物品として、楽器が想定される。楽器の中には、表面に様々な模様が描かれたものが存在する。楽器表面の模様を動的に変化させられれば、聴衆を視覚的にも楽しませることができる。
【先行技術文献】
【特許文献】
【０００５】
【特許文献１】特開２００６−０４３９２０号公報
【発明の概要】
【発明が解決しようとする課題】
【０００６】
前記事情に鑑みて、本発明は、物品と観察者との相対位置が変化しなくても模様を変化させられる装飾パネル及び楽器を提供することを課題とする。
【課題を解決するための手段】
【０００７】
前記課題を解決するためになされた発明は、規則正しいパターンを有し、かつ少なくとも部分的に光透過性を有する表側層と、前記表側層の裏側に相対的に移動可能に配設され、前記表側層とは周期が異なるパターンを有する裏側層とを備え、前記表側層のパターンと裏側層のパターンによりモアレが発生するよう構成されている装飾パネルである。
【０００８】
当該装飾パネルは、表側層のパターンと裏側層のパターンとの干渉によるモアレを発生させ、このモアレを裏側層の相対移動によって変化させる。これによって、当該装飾パネルは、当該装飾パネルを備える物品と観察者との相対位置が変化しなくても模様が変化し、立体的かつ動的な装飾効果を奏することができる。
【０００９】
前記表側層が、織布と、この織布に含浸した樹脂組成物とを有するとよい。このように、織布に樹脂組成物を含浸することによって、織布を構成する糸で前記規則正しいパターンを容易に構成することができる。また、織布には模様又は図柄を付与できるので、意匠性をより高められる。
【００１０】
前記表側層及び裏側層のうち少なくとも一方の対向面に突起が形成されているとよい。このように表側層及び裏側層の対向面に突起を形成することによって、表側層と裏側層との間に隙間を形成する。これにより、モアレの変化を阻害する表側層と裏側層との張り付きを防止して、模様の変化を促進できる。
【００１１】
前記裏側層の裏側に配置され、表側から入射する光を反射する反射層をさらに備え、前記裏側層が光透過性を有するとよい。このように、裏側層の裏側に反射層を設けることにより、表側層のパターン及び裏側層のパターンの視認性を向上して、模様の変化をより際立たせることができる。
【００１２】
また、前記課題を解決するためになされた別の発明は、前記装飾パネルを備える楽器である。
【００１３】
当該楽器は、音を発生するための振動により前記裏側層を振動させられるので、演奏時に表面に当該装飾パネルを設けることで表面の模様を変化させられる。
【００１４】
ここで、「規則正しいパターン」とは、光の反射、遮光、屈折等の光学的特性の異なる領域が周期的に繰り返し配置されるものをいう。このような「規則正しいパターン」としては、例えば色が異なる領域が周期的に繰り返し配置されるよう描かれた模様が挙げられる。また、「周期が異なる」とは、前記光学的特性の異なる領域が繰り返される間隔が異なるものだけでなく、前記光学的特性の異なる領域が繰り返される方向が異なるものを含む。
【発明の効果】
【００１５】
本発明の装飾パネルは、裏側層の移動により、表側層のパターンと裏側層のパターンとによって発生するモアレを変化させられるので、当該装飾パネルを備える物品と観察者との相対位置が変化しなくても模様を変化させることができる。
【図面の簡単な説明】
【００１６】
【図１】本発明の一実施形態の装飾パネルの構成を示す模式的断面図である。
【図２】図１の装飾パネルの表側層及び裏側層の写真である。
【図３】パターンの繰り返し間隔の違いによるモアレの発生を例示する模式的説明図である。
【図４】パターンの繰り返し方向の違いによるモアレの発生を例示する模式的説明図である。
【図５】本発明の一実施形態のマーチドラムの構成を示す模式的断面図である。
【図６】図５のマーチドラムの写真である。
【発明を実施するための形態】
【００１７】
以下、適宜図面を参照しつつ、本発明の実施の形態を詳説する。
【００１８】
［装飾パネル］
図１の装飾パネル１は、支持部材２と、この支持部材２により固定して配設される表側層３と、この表側層３の裏側に相対的に移動可能に配設される裏側層４と、この裏側層４の裏側に配設される反射層５とを備える。
【００１９】
＜支持部材＞
支持部材２は、当該装飾パネル１によって装飾される物品Ｐの表面に取り付けられるか、物品Ｐの表面を構成する部材と一体に形成される。この支持部材２は、例えば金属、樹脂等の剛性を有する材料で形成することができる。
【００２０】
＜表側層＞
表側層３は、支持部材２に固定して配設され、規則正しいパターンを有し、かつ少なくとも部分的に光透過性を有する。
【００２１】
この表側層３は、多数の糸で形成された織布６に光透過性を有する樹脂組成物７を含浸して形成されたシート状の部材であり、糸のない部分が光透過性を有する。また、表側層３は、裏側層４に対する対向面、つまり裏面に複数の突起８が形成されている。
【００２２】
表側層３の平均厚さとしては、特に限定されないが、例えば０．１ｍｍ以上１ｍｍ以下とすることができる。
【００２３】
（織布）
織布６は、糸によって光を遮断する領域と糸の間で光を透過する領域とが周期的に繰り返される規則正しいパターンを形成する。よって、この織布６は、十分な光透過性を有するよう、糸の隙間が大きいものが好ましく、中でも平織りメッシュ状のものが特に好ましい。
【００２４】
また、織布６は、図２の左側に例示するように、表側層３に任意の絵柄を形成するために着色されてもよい。着色方法としては、織布６を構成する前の糸の染色、織布６への印刷等が挙げられる。
【００２５】
織布６を形成する糸としては、例えば天然繊維、合成繊維等が挙げられる。
【００２６】
織布６の糸密度としては、特に限定されないが、経糸及び緯糸共に例えば２５本／インチ以上２００本／インチ以下とすることができる。なお、「糸密度」は、経糸又は緯糸の密度であり、これらの糸の周期の逆数である。
【００２７】
（樹脂組成物）
前記織布６に含浸する樹脂組成物７としては、例えばアクリル樹脂、エポキシ樹脂、不飽和ポリエステル樹脂等を主成分とするものが使用される。なお、「主成分」とは、材料を構成する成分の中で最も質量含有率が大きい成分を意味し、好ましくは５０質量％以上含まれる成分をいう。
【００２８】
（突起）
複数の突起８は、表側層３の裏面から垂直に突出し、表側層３と裏側層４との間に空間を形成することにより、表側層３と裏側層４との密着を防止する。突起８は、これらの突起８に対応する凹部を有する反転型の上で織布６に樹脂組成物７を含浸することで、樹脂組成物７によって一体に形成することができる。また、織布６に樹脂組成物７を含浸した後に、樹脂組成物７と同じ材質又は異なる任意の材質で形成された突起８を接着してもよい。
【００２９】
突起８の形状としては、例えばドーム状、柱状、円錐台状等の任意の形状とすることができる。また、突起８の平面形状としては、典型的には円形とされるが、例えば楕円状、多角形状等の他の形状であってもよい。
【００３０】
突起８の平均円相当径としては、特に限定されないが、例えば０．５ｍｍ以上２ｍｍ以下とすることができる。また、突起８の平均高さとしては、特に限定されないが、例えば０．５ｍｍ以上２ｍｍ以下とすることができる。なお、「円相当径」とは、突起８の底面積と等しい面積を有する円の直径を意味する。
【００３１】
また、突起８の配設密度としては、表側層３及び裏側層４の柔軟性等に応じて定められるが、例えば０．０４個／ｃｍ２以上１０個／ｃｍ２以下とすることができる。
【００３２】
＜裏側層＞
裏側層４は、表側層３に対して相対的に移動可能に配設され、前記表側層３とは周期が異なるパターンを有し、光透過性を有する。この裏側層４は、例えば不図示の部材によって物品Ｐと表側層３との隙間の開放端を封止することにより、物品Ｐと表側層３との隙間で自由に移動できるよう保持される。
【００３３】
この裏側層４は、多数の糸で形成された織布９に光透過性を有する樹脂組成物１０を含浸して形成されたシート状の部材である。
【００３４】
裏側層４の平均厚さとしては、特に限定されないが、例えば０．１ｍｍ以上１ｍｍ以下とすることができる。
【００３５】
また、裏側層４は、表側層３に対して相対移動可能に配設されればよいが、裏側層４の移動を阻害し得る表側層３との密着を防止するよう、表側層３との間隔を例えば０．５ｍｍ以上とするよう配設されることが好ましい。
【００３６】
（織布）
裏側層４の織布９は、表側層３の織布６と同様に、糸によって光を遮断する領域と糸の間で光を透過する領域とが周期的に繰り返される規則正しいパターンを形成する。よって、この織布９も、十分な光透過性を有するよう、糸の隙間が大きい平織りメッシュ状のものが好ましい。
【００３７】
裏側層４の織布９を形成する糸としては、例えば天然繊維、合成繊維等が挙げられる。
【００３８】
裏側層４の織布９の糸密度としては、特に限定されないが、例えば２５本／インチ以上２００本／インチ以下とすることができる。また、裏側層４の織布９の糸密度は、図２に例示するように、表側層３の織布６と裏側層４の織布９との糸の向きが平行であっても表側層３の織布６と協働してモアレを発生させるよう、表側層３の織布６の糸密度との間に差を有することが好ましい。裏側層４の織布９の糸密度の表側層３の織布６の糸密度に対する差の絶対値の表側層３の織布６の糸密度に対する割合としては、特に限定されないが、例えば０％超５０％以下とされる。
【００３９】
（樹脂組成物）
前記裏側層４の織布９に含浸される樹脂組成物１０としては、表側層３の織布６に含浸される樹脂組成物７と同様の材料が使用できる。
【００４０】
＜反射層＞
反射層５は、表側から入射する光を反射する層であり、表側層３の織布６及び裏側層４の織布９の糸目を際立たせることによって、これらにより形成されるモアレを視認し易くする。
【００４１】
反射層５としては、光を表側に拡散反射するものが好ましく、例えば白色紙を用いることができる。
【００４２】
この反射層５の光反射率としては、例えば７０％以上とされる。なお、「光反射率」とは、ＪＩＳ−Ｋ−７３７５（２００８）に規定される全光線反射率として測定される値である。
【００４３】
反射層５は、裏側層４の裏面又は物品Ｐの表面に接着されてもよく、表側層３と物品Ｐの表面との間で裏側層４と同様に移動可能に保持されてもよい。
【００４４】
また、反射層５又は裏側層４の対向面に突起を形成することや、裏側層４及び反射層５の移動を制限するよう保持することにより、裏側層４と反射層５とが密着して裏側層４の移動が制限されることを防止することが好ましい。
【００４５】
＜作用＞
当該装飾パネル１では、表側層３の織布６の糸によるパターンと裏側層４の織布９の糸によるパターンとの周期が異なることにより、これらのパターンが干渉してモアレを発生する。
【００４６】
図３及び図４に、表側層３のパターンＳ１と裏側層４のパターンＳ２の干渉によるモアレを例示する。
【００４７】
図３は、表側層３のパターンＳ１における糸の間隔と裏側層４のパターンＳ２における糸の間隔とが異なり、表側層３のパターンＳ１における糸の向きと裏側層４のパターンＳ２における糸の向きとが等しい場合、つまり周期的な繰り返しの間隔が異なる場合を例示する。
【００４８】
一方、図４は、表側層３のパターンＳ１における糸の間隔（糸密度）と裏側層４のパターンＳ２における糸の間隔（糸密度）とが等しく、表側層３のパターンＳ１における糸の向きと裏側層４のパターンＳ２における糸の向きとが異なる場合、つまり周期的な繰り返しの配列角度が異なる場合を例示する。
【００４９】
図示するように、表側層３のパターンＳ１の糸と裏側層４のパターンＳ２の糸との重なりが大きい部分は、光を透過する領域の面積が大きく、白色度が高く認識され、表側層３のパターンＳ１の糸と裏側層４のパターンＳ２の糸との重なりが小さい部分は、光を透過する領域の面積が小さく、白色度が低く認識される。
【００５０】
これらのモアレは、表側層３のパターンＳ１と裏側層４のパターンＳ２との相対位置が僅かに変化するだけで、白色度の高い領域と白色度の低い領域とが大きく移動する。
【００５１】
＜利点＞
当該装飾パネル１は、図２に例示するよう、表側層３のパターンと裏側層４のパターンとの干渉によるモアレを発生させる。また、当該装飾パネル１では、裏側層４が移動可能に配設されているため、物品Ｐの振動等により裏側層４が移動することによって前記モアレを変化させる。これにより、当該装飾パネル１は、物品Ｐと観察者との相対位置が変化しなくてもモアレが変化し、立体的かつ動的な装飾効果を奏することができる。
【００５２】
当該装飾パネル１において、表側層３及び裏側層４の規則正しいパターンは、織布６及び織布９によって構成されている。このように、織布６及び織布９を利用すれば、モアレを生じさせる周期的なパターンを有する表側層３及び裏側層４を容易に形成できる。
【００５３】
また、当該装飾パネル１は、表側層３に突起８が形成されているので、表側層３と裏側層４とが互いに張り付いた状態となって裏側層４の移動を阻害することがない。このため、当該装飾パネル１は、物品Ｐの振動等によって容易に裏側層４が移動し、モアレを効率よく変化させることができる。
【００５４】
さらに、当該装飾パネル１は、裏側層４の裏側に反射層５を備えるため、織布６及び織布９により形成されるモアレの視認性が高い。
【００５５】
［マーチドラム］
続いて、当該装飾パネルを備える本発明の楽器の一実施形態に係るマーチドラムについて説明する。
【００５６】
図５及び図６のマーチドラムは、円筒状のドラムシェル１１と、このドラムシェル１１の両端の開口を封止するよう張り渡されたシート状の振動膜１２（図５には底側が図示）と、ドラムシェル１１の外周面を覆うよう配設された装飾パネル１と備える。
【００５７】
図５のマーチドラムの装飾パネル１は、ドラムシェル１１の外周に等間隔に配設された４つの支持部材２と、支持部材２によって固定して配設される表側層３と、ドラムシェル１１と表側層３との隙間が前記支持部材２によって区分された４つの空間にそれぞれ移動可能に配設される４枚の裏側層４とを備える。裏側層４は、例えば振動膜１２を保持するリム１３によってドラムシェル１１と表側層３との隙間から脱落しないよう保持されている。
【００５８】
図５のマーチドラムの装飾パネル１における支持部材２、表側層３及び裏側層４は、基本的構成においては図１の装飾パネル１の支持部材２、表側層３及び裏側層４と同様であるため、同じ構成要素には同一の符号を付して重複する説明を省略する。
【００５９】
図５のマーチドラムのドラムシェル１１は、表面が白色塗装されることにより、反射層を兼ねている。
【００６０】
また、図５のマーチドラムにおいて、支持部材２は、当該マーチドラムを保持するために使用されるクランプと兼用されるよう構成することができる。
【００６１】
図５のマーチドラムのドラムシェル１１は、各裏側層４に対向するよう配置された４つのエアホール１４を有する。また、裏側層４は、前記エアホール１４に対向しない位置に形成された通気孔１５を有する。さらに、表側層３は、前記通気孔１５に対向するよう形成された貫通孔１６を有する。
【００６２】
このため、当該マーチドラムは、振動膜１２をスティックで叩くことによりエアホール１４を通して空気が出入りし、裏側層４を効率よく振動させる。ここで、エアホール１４と通気孔１５とが対向しないことにより、エアホール１４を通して出入りする空気が効率よく裏側層４を厚さ方向に振動させる。これにより、当該マーチドラムは、演奏することによって、装飾パネル１のモアレが変化し、聴衆を視覚的にも楽しませることができる。
【００６３】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらはすべて本発明の範囲に属するものと解釈されるべきである。
【００６４】
当該装飾パネルにおいて、表側層及び裏側層が有する規則正しいパターンは、織布の経糸及び緯糸により形成される格子状のパターンに限らず、例えば糸、塗料、樹脂等任意の材質で形成したストライプ状等の幾何学的パターンや規則正しく配列したドットからなるパターンであってもよい。
【００６５】
また、表側層及び裏側層が有する規則正しいパターンは、印刷により形成してもよく、表側層及び裏側層の表面又は裏面に形成される溝や突起等の凹凸により形成してもよい。
【００６６】
また、当該装飾パネルにおいて、表側層は、可撓性のフィルム状に形成され、剛性を有する透明な支持板の表面又は裏面に貼着して固定されてもよい。
【００６７】
また、当該装飾パネルにおいて、表側層及び裏側層は、織布のみで形成されてもよい。なお、表側層は、固定の容易性及び汚れ難さの点で樹脂組成物を含浸したフィルム状又は板状に形成されることが好ましい。
【００６８】
また、当該装飾パネルにおいて、絵柄は表側層ではなく裏側層に設けてもよい。
【００６９】
また、当該装飾パネルにおいて、表側層と裏側層との密着を防止する突起は、裏側層の表側層に対する対向面に設けてもよい。
【００７０】
また、当該装飾パネルの裏側層は、弾性体や柔軟な糸等によって移動可能に支持してもよく、裏側層に形成した穴にルーズに係合するピンやフックによって支持してもよい。また、裏側層は、中央部が振動可能なよう端部を支持部材や表側層により不動に保持してもよい。つまり、本発明における裏側層の相対移動とは、部分的な変位であってもよい。
【００７１】
当該装飾パネルにおいて、表側層を移動可能に配設し、裏側層を不動に配設又は移動が抑制されるよう配設してもよい。つまり、裏側層の表側層に対する相対移動とは、表側層を基準として裏側層が相対的に移動することを意味し、必ずしも裏側層がその絶対位置を変化させるものでなくてもよい。例として、振動する物品の外表面（例えばドラムシェル）に対して支持部材等で表側層を固定することにより、表側層を物品の外表面と共に振動可能とする一方、表側層と物品の外表面との間に、物品の外表面及び表側層に対して相対移動可能に裏側層を保持してもよい。また、ドラムシェルのエアホールと裏側層の通気口とを対向するよう配置し、表側層の通気口をエアホール及び裏側層の通気口と対向しないように配置することによって、楽器演奏によってエアホールから排出された空気が通気口を通って直接表側層に吹き付けられ、ドラムの演奏に伴って発生する空気の移動によって表側層を振動させて、モアレを変化させることができる。この際、表面層を上述のように移動可能に固定してもよいし、予め表面層を撓ませて固定して、表面層が裏側層に対して相対的に振動し易くしてもよい。
【００７２】
また、当該装飾パネルにおいて、表側層及び裏側層を湾曲させて固定し、さらなるたわみが生じ易いようにすることによって、表側層や裏側層を支持する部材と共に効率よく振動させてモアレを効率よく変化させることができる。この時、表側層と裏側層の湾曲具合を異ならせることで両者が同じ動きをすることを抑制することができる。また、表側層及び裏側層の一方に重りを付設して慣性力を大きくすることによって、両者が同じ動きをすることを抑制し、当該装飾パネルのモアレを変化させ易くすることもできる。さらに、表側層と裏側層との固有振動数を互いに異ならせることによっても、両者の移動に差を設けてモアレを効率よく変化させることができる。すなわち、表面層及び裏側層が相対的に異なる振動をすることによって、モアレを変化させることが可能となる。
【００７３】
また、当該装飾パネルにおいて、支持部材を省略し、表側層が物品に直接保持されてもよい。
【００７４】
また、当該装飾パネルにおいて、反射層は必須ではない。例として、当該装飾パネルに反射層を設けず、物品の表面を発光体とすることによって、観察者にモアレをより明確に認知させることができる。
【００７５】
当該装飾パネルは、いかなる物品の装飾のために使用されてもよい。例として、当該装飾パネルは、電車、バス等の車輛の内装又は広告として使用することができる。また、当該装飾パネルは、危険を示す注意喚起のための表示に使用してもよい。
【００７６】
また、当該装飾パネルは、物品の外表面に重ねて配設される外、その表側層が物品の外表面を構成するよう物品と一体的に形成されてもよい。例として、当該楽器の一形態のマーチドラムにおいて、表側層が光透過性を有するドラムシェルと一体化され、その内側に裏側層が配置されていてもよい。
【００７７】
また、当該装飾パネルにおいて、裏側層が光反射性であってもよい。例として、パターンを印刷した白色紙を裏側層とすることができる。
【００７８】
また、当該マーチドラムにおいて、支持部材の数は４つに限られず任意である。例えば１つのマーチドラムに６以上１２以下の支持部材を設けてもよい。
【００７９】
また、当該マーチドラムにおいて、エアホールの数も４つに限られず任意である。エアホールの数としては、例えば１以上３以下とすることもできる。また、通気孔及び貫通孔の数も任意である。
【００８０】
前述の実施形態では、本発明に係る楽器としてマーチドラムについて説明したが、他の種類のドラムにも同様の構造が適用できる。
【００８１】
また、本発明に係る楽器は、ドラムに限らず、他の種類の楽器であってもよい。当該楽器としては、例として、響板又は響板の外装として当該装飾パネルを有する弦楽器等が挙げられる。また、本発明をピアノに適用すれば、動きのないピアノに動的な印象を付与することができる。
【００８２】
また、本発明に係る装飾パネルは、スピーカー等の音響装置の表面を装飾するために使用することもできる。当該装飾パネルは、音を発生するための微細な振動によっても、モアレを変化させて動的な視覚効果を得ることができる。
【産業上の利用可能性】
【００８３】
本発明は、多様な物品の装飾部品として用いることができ、特に振動する物品表面の装飾部品として好適に利用できる。
【符号の説明】
【００８４】
１  装飾パネル
２  支持部材
３  表側層
４  裏側層
５  反射層
６  織布
７  樹脂組成物
８  突起
９  織布
１０  樹脂組成物
１１  ドラムシェル
１２  振動膜
１３  リム
１４  エアホール
１５  通気孔
１６  貫通孔
Ｐ  物品
Ｓ１、Ｓ２  パターン
【図１】
2015226983.tif 000003
【図３】
2015226983.tif 000004
【図４】
2015226983.tif 000005
【図５】
2015226983.tif 000006
【図２】
2015226983.tif 000007
【図６】
2015226983.tif 000008